(57)【要約】  【課題】流下雨水を内側方向に落下し難くして、軒先木部の水濡れを抑制するとともに、軒瓦先端から前方に放出される放出雨水の受水も容易にできる。  【解決手段】頭部先端に垂れ部２２を設けた軒瓦２であるが、主板面２１と垂れ部２２との間を傾斜面２３に形成し、頭部先端にほぼ直角に屈曲して形成される仮想垂れ部２４の表面部２４ａに比較して垂れ部表面部２２ａの高さを短小化した。このように、垂れ部表面部２２ａの高さが短小化するので、流下雨水が内側に誘導され難くなり、また、軒瓦先端から放出される放出雨水と前記流下雨水が近接するので、雨樋の設置が容易になる。  【選択図】  図１
2005320777.tif 000002
【特許請求の範囲】
【請求項１】
頭部先端に垂れ部を設けた軒瓦において、主板面と垂れ部との間を傾斜面に形成し、垂れ部表面部の高さを短小化したことを特徴とする軒瓦。
【請求項２】
前記傾斜面の先端部分に段差部を設けた請求項１記載の軒瓦。
【請求項３】
前記傾斜面の傾斜角を主板面に対して少なくとも３５°とした請求項１または２に記載の軒瓦。
【請求項４】
前記傾斜面を主板面の頭部の谷部近傍に形成した請求項１〜３のいずれかに記載の軒瓦。
【請求項５】
頭部先端に垂れ部を設けた軒瓦において、屋根に葺かれたときに垂れ部表面が垂直に、または垂れ部下端部が前方にせり出すように、該垂れ部表面を主板面に対して傾斜させ形成したことを特徴とする軒瓦。
【請求項６】
前記垂れ部の表面下端部が９０°または鋭角に形成したものである請求項５に記載の軒瓦。
【発明の詳細な説明】
【技術分野】
【０００１】
本発明は、屋根の軒先に配置される軒瓦の形状の改良に関する。
【背景技術】
【０００２】
従来から行われている軒瓦の施工状態は、図７に例示するように、軒先において屋根下地材、例えば野地板１１に設けた瓦座１２、瓦桟１３に架けて軒瓦１が配置され、軒瓦１の表面を伝わって流下する雨水を受けるための雨樋１４が鼻隠し１５に固定されている。
【０００３】
ここで軒瓦１は、その先端には、表面に直角に成形された垂れ部１０を備えており、降雨時には、流下雨水を雨樋１４に誘導するのである。ところが、降雨が激しい場合、強風の場合には、流下雨水が雨樋１４に向かって垂直方向に落下せず、垂れ部１０の表面から底面を伝わって、内部方向に飛散し、鼻隠し１５近辺を水濡れ状態にするなど水切り機能が十分でないことがあった。
【０００４】
このような不具合を解消するものとして、前記垂れ部１０の先端に取り付けられる雨水飛散防止具（図示せず）が提案されている（特許文献１を参照のこと）。雨水飛散防止具は軒瓦本体とは別個に準備される余分な部材であるので、材料費や取付加工費が余分に嵩むうえ、外観の美観を損なうという問題があった。
【０００５】
さらに、このような問題に対応するものとして、垂れ部１０の形状に工夫したものが提案されている（特許文献２を参照のこと）。この提案は、図８に示すように、軒瓦１の頭部先端には垂れ部１０の表面１ａが軒瓦１の上表面に対してほぼ直角方向に垂下形成され、その垂れ部１０の底面部より裏面部にかけて外膨らみ曲面１ｂが形成されているものである。この軒瓦１の場合、流下雨水は外膨らみ曲面１ｂがあるため、内側に向かって飛散することなく、ほぼ垂直方向に落下すると言われている。
【特許文献１】実開昭６０−１４１３２２号公報：実用新案登録請求の範囲、第１図。
【特許文献２】特開平７−１５８２１４号公報：請求項１、段落（００１１）、図１
【０００６】
ところが、この特許文献２の場合でも、流下雨水は垂れ部１０の表面１ａに誘導されて内側方向に向かって落下するため、軒先の木部に向かって飛散することが完全には防止できなかった。また、雨樋１４を内側に偏らせて配設すれば、このような内側に向かって落下する流下雨水を受水し易くなる。しかし、降雨の程度が増すと、流下雨水は垂れ部１０を伝うことなく軒瓦先端から前方に放出されるようになるが、内側に偏らせた雨樋１４ではこの放出雨水を受水しにくくなるという問題が生じた。
【発明の開示】
【発明が解決しようとする課題】
【０００７】
本発明は、上記の問題点を解決するためになされたものであり、軒瓦の垂れ部の形状を工夫することにより、流下雨水を内側方向に落下し難くして、軒先木部の水濡れを抑制するとともに、軒瓦先端から前方に放出される放出雨水の受水も容易にできる軒瓦を提供する。
【課題を解決するための手段】
【０００８】
上記の問題は、第１発明であるところの、頭部先端に垂れ部を設けた軒瓦において、主板面と垂れ部との間を傾斜面に形成し、垂れ部表面部の高さを短小化したことを特徴とする本発明の軒瓦によって、解決することができる。
本発明では、前記傾斜面の先端部分に段差部を設けるのが好ましく、また、前記傾斜面の傾斜角を主板面に対して少なくとも３５°としたものが好ましい。さらには、前記傾斜面を主板面の頭部の谷部近傍に形成したものが好ましい。
【０００９】
また、上記の問題は、第２発明であるところの、頭部先端に垂れ部を設けた軒瓦において、屋根に葺かれたときに垂れ部表面が垂直に、または垂れ部下端部が前方にせり出すように、該垂れ部表面を主板面に対して傾斜させ形成したことを特徴とする本発明の軒瓦によって解決することができる。そして、本発明は、前記垂れ部の表面下端部が９０°または鋭角に形成したものである形態に好ましく具体化される。
【発明の効果】
【００１０】
前記した第１発明によれば、頭部先端に垂れ部を設けた軒瓦において、主板面と垂れ部との屈曲部を傾斜面に形成したので、この傾斜面を形成しない場合に比較して、垂れ部表面部の高さが短小化するので、流下雨水が垂れ部によって内側に誘導される程度が減少するので、内側に落下し難くなる。また、軒瓦先端から前方に放出される放出雨水と前記流下雨水が近接することになるので、雨樋の設置が容易になる利点が得られる。
【００１１】
また、第２発明では、垂れ部自体を、下部を前方に向けた傾斜面とするので、流下雨水が垂れ部によって外側方向に誘導されるので、一層内側に落下し難くなる。また、軒瓦先端から前方に放出される放出雨水と前記流下雨水が一層近接することになるので、雨樋の設置が容易になり、受水しにくくなるという問題を解決するのである。かくして、第１、第２発明とも軒先木部の水濡れを抑制するとともに、軒瓦先端から前方に放出される放出雨水の受水も容易にできるという優れた効果がある。よって本発明は、従来の問題点を解消した軒瓦として、実用的価値はきわめて大なるものがある。
【発明を実施するための最良の形態】
【００１２】
次に、本発明の実施形態を、第１発明については図１〜３、第２発明については図４〜６参照しながら説明する。
（第１発明）
第１実施形態では、本発明の軒瓦は、頭部先端に垂れ部２２を設けた軒瓦２であるが、主板面２１と垂れ部２２との間を傾斜面２３に形成し、垂れ部表面部２２ａの高さを短小化した点を特徴とするものである。
【００１３】
ここで、図１において、従来よく知られている軒瓦の垂れ部は、頭部先端にほぼ直角に屈曲して形成される部分（鎖線で囲まれる部分）で示される仮想垂れ部２４であって、主板面２１と仮想垂れ部表面部２４ａとの間は直角部分によって連続している。そして、本発明では、主板面２１と垂れ部２２との間を傾斜角θの傾斜面２３に形成したので、垂れ部表面部２２ａは、傾斜面２３を設けない場合の前記仮想垂れ部表面部２４ａに比較して大幅にその高さを短小化できるのである。
【００１４】
この第１実施形態によれば、従来の垂れ部２４に比較して、垂れ部表面部２２ａの高さが短小化するので、流下雨水が内側に誘導され難くなる点で好ましく、また、軒瓦先端から放出される放出雨水と前記流下雨水が近接するので、雨樋の設置が容易になるという利点が得られるのである。
さらに、本発明は、図２、３に示す第２実施形態のように、前記傾斜面２３の先端部分に段差部２５を設けるのと、垂れ部表面部２２ａの高さがさらに短小化するうえ、軒瓦先端から放出される放出雨水の水勢がより緩和されるという利点が得られる。
【００１５】
また、前記傾斜面２３の傾斜角θは主板面２１に対して少なくとも３５°に設定するのが、傾斜面２３を有効に機能させる目的からみて好ましい。また、垂れ部底面は主板面２１に対して尻上りの傾斜角θ１を設けるのが、水切り効果を高めることができるから好ましい。
さらには、上記説明では、前記傾斜面２３を主板面２１の頭部の全幅員に設けるもので例示したが、本発明はこれに限定されることはない。例えば、傾斜面２３を頭部の中央付近、すなわち谷部近傍にのみ形成したものでも、上記作用効果は同様に得られるからである。
【００１６】
（第２発明）
第２発明では、図４に示すような、軒瓦３の主板面３１の頭部先端に下方に屈曲した垂れ部３２を設けた軒瓦が対象である、そして、垂れ部表面３２ａが、この軒瓦が屋根に葺かれたときに、図５に示す通り、垂れ部下端部３２ｂが前方にせり出すように、または、垂れ部表面３２ａが垂直になるように、該垂れ部表面３２ａを主板面３１に対して斜めに傾斜させ形成した点に特徴がある。
【００１７】
このような条件の該垂れ部表面３２ａとするには、軒瓦３の葺き傾斜角をθ４としたとき、主板面３１に対する垂れ部表面３２ａの傾斜角度、すなわち垂れ部傾斜角θ３≦９０°−θ４を満足させればよいことは容易に理解されよう。
一般に、屋根瓦の葺き傾斜角θ４は、３寸５分勾配（１９°１７′）以下が緩勾配、５寸５分勾配（２８°４８′）以上が急勾配、その間が普通勾配と言われている。そして、最も多く採用されている普通勾配の上限である５寸勾配（２６°３４′）を基準として、垂れ部傾斜角θ３≦９０°−θ４≒９０−２６＝６４°となるよう構成すれば、実用上適用範囲の広い本発明の軒瓦を得ることができる。
また、本発明では前記垂れ部の表面下端部３２ｂの角度θ５は、９０°または鋭角に形成すれば、水切り効果が改良されるので好ましい。
【００１８】
かくして、第２発明のこの実施形態によれば、垂れ部自体を前方に向けた傾斜面とするので、流下雨水が垂れ部によって外側方向に誘導されるので、より好ましく内側に落下し難くなる。また、軒瓦先端から前方に放出される放出雨水と前記流下雨水が一層近接することになるので、雨樋の設置が容易になり、受水しにくくなるという問題を解決するのである。かくして、本発明の第１、第２発明とも軒先木部の水濡れを抑制するとともに、軒瓦先端から前方に放出される放出雨水の受水も容易にできるという優れた効果を発揮するのである。
【図面の簡単な説明】
【００１９】
【図１】第１発明の軒瓦の実施形態１の頭部ａ−ａ断面図。
【図２】第１発明の軒瓦の実施形態２の頭部ａ−ａ断面図。
【図３】実施形態２の全体斜視図。
【図４】第２発明の軒瓦の実施形態の頭部ａ−ａ断面図。
【図５】第２発明の軒瓦の葺き上げ時の傾斜を示す頭部ａ−ａ断面図。
【図６】第２発明の全体斜視図。
【図７】軒瓦の通常の施工状態を示す要部断面図。
【図８】特許文献に開示された軒瓦の改良構造を示す要部断面図。
【符号の説明】
【００２０】
２：軒瓦、２１：主板面、２２：垂れ部、２２ａ：垂れ部表面部、２３：傾斜面、２４：仮想垂れ部、２４ａ：仮想垂れ部表面部、２５：段差部
【図１】
2005320777.tif 000003
【図２】
2005320777.tif 000004
【図３】
2005320777.tif 000005
【図４】
2005320777.tif 000006
【図５】
2005320777.tif 000007
【図６】
2005320777.tif 000008
【図７】
2005320777.tif 000009
【図８】
2005320777.tif 000010